(57)【特許請求の範囲】
【請求項１】
巻き上げ棒を枢支する溝が上部に形成され、縦穴が設けられた三角形状の脚が一対と、
コの字形状の差し込みパイプと、
ハンドルが端部に形成された巻き上げ棒と、
一端に輪が設けられ他端が巻き上げ棒に固定された吊り上げ紐が一対と、
膝上げ棒と、
ハンドルの回転防止手段とから成り、
使用時に、前記一対の脚を左右対称に対向して配置し、差し込みパイプの両端を一対の脚に設けられた各々の縦穴に挿入し、巻き上げ棒の両端を一対の脚に設けられた各々の溝に枢支し、膝上げ棒の両端を一対の吊り上げ紐の各々の輪に引っ掛け、ハンドルを回転させると吊り上げ紐が巻き上げ棒に巻き上げられて膝上げ棒が上昇し、回転防止手段でハンドルの回転を止めることで巻き上げ棒の回転が止まり、使用後は分解して収納する如く形成したことを特徴とする組み立て式介護用オムツ交換補助具。
【請求項２】
請求項１記載の組み立て式介護用オムツ交換補助具において、一対の吊り上げ紐の各々の一端に輪を設けることなく、膝上げ棒に代えて一対の膝上げ鉤の各々を吊り上げ紐の各々の一端に取り付け、
使用時に、前記一対の脚を左右対称に対向して配置し、差し込みパイプの両端を一対の脚に設けられた各々の縦穴に挿入し、巻き上げ棒の両端を一対の脚に設けられた各々の溝に枢支し、ハンドルを回転させると吊り上げ紐が巻き上げ棒に巻き上げられて膝上げ鉤が上昇し、回転防止手段でハンドルの回転を止めることで巻き上げ棒の回転が止まり、使用後は分解して収納する如く形成したことを特徴とする組み立て式介護用オムツ交換補助具。
【発明の詳細な説明】
【技術分野】
【０００１】  本発明は、重病患者の介護者がオムツを交換するときに、臀部を簡単に持ち上げることができる介護用オムツ補助具に関するものである。
【背景技術】
【０００２】  従来、介護者は意識のない重病患者のオムツ交換は全部手作業のため、大変な重労働であった。そしてその度に患者の臀部にオムツを敷き込み、交換しなければならなかった。このため、一人で大人の臀部を持ち上げ、オムツを交換することは到底できず、やむをえず仰向けに寝ている患者を横向きに転がして移動し、臀部の位置にオムツを敷き元の位置に再び体を転がしてもどし、オムツの交換作業を行なっていた。
【発明の開示】
【発明が解決しようとする課題】
【０００３】そのために次のような問題点があった。
意識のない重病患者の中で、体重が７０〜８０ｋｇ以上の被介護者はずっしりと重く、女性看護師では少なくとも３人以上の人員がいないと交換が困難であった。また、意識はあるが衰弱してやせ衰え身体が硬くなった患者は、動かされるたびに痛みをうったえるために、更に慎重な取り扱いが必要で介護者には大変な仕事であった。
本発明は、以上の問題点を解決するためのものである。
【課題を解決するための手段】
【０００４】
請求項１記載の発明は、巻き上げ棒を枢支する溝が上部に形成され、縦穴が設けられた三角形状の脚が一対と、コの字形状の差し込みパイプと、ハンドルが端部に形成された巻き上げ棒と、一端に輪が設けられ他端が巻き上げ棒に固定された吊り上げ紐が一対と、膝上げ棒と、ハンドルの回転防止手段とから成り、使用時に、前記一対の脚を左右対称に対向して配置し、差し込みパイプの両端を一対の脚に設けられた各々の縦穴に挿入し、巻き上げ棒の両端を一対の脚に設けられた各々の溝に枢支し、膝上げ棒の両端を一対の吊り上げ紐の各々の輪に引っ掛け、ハンドルを回転させると吊り上げ紐が巻き上げ棒に巻き上げられて膝上げ棒が上昇し、回転防止手段でハンドルの回転を止めることで巻き上げ棒の回転が止まり、使用後は分解して収納する如く形成したことを特徴とする組み立て式介護用オムツ交換補助具である。
また請求項２記載の発明は、請求項１記載の組み立て式介護用オムツ交換補助具において、一対の吊り上げ紐の各々の一端に輪を設けることなく、膝上げ棒に代えて一対の膝上げ鉤の各々を吊り上げ紐の各々の一端に取り付け、使用時に、前記一対の脚を左右対称に対向して配置し、差し込みパイプの両端を一対の脚に設けられた各々の縦穴に挿入し、巻き上げ棒の両端を一対の脚に設けられた各々の溝に枢支し、ハンドルを回転させると吊り上げ紐が巻き上げ棒に巻き上げられて膝上げ鉤が上昇し、回転防止手段でハンドルの回転を止めることで巻き上げ棒の回転が止まり、使用後は分解して収納する如く形成したことを特徴とする組み立て式介護用オムツ交換補助具である。
【発明の効果】
【０００５】  本発明を使用すれば、大人の重い臀部でも楽々持ち上げることができ、介護者の負担は大幅に軽減される。特に病院等で力が弱い女性看護師が一人でも簡単にできるため、看護師不足の病院では人手不足が解消できる。
また、横に身体を転がされ、苦痛を訴える患者でも仰向けに寝たまま膝から静かに太もも、臀部と順次に持ち上げることができ、痛みも少なく患者自身も苦痛から解放される。
また、組み立て式のため、使用時以外は分解してベッドの下や部屋の片隅でも場所を取らずに収納できる。
【発明を実施するための最良の形態】
【０００６】  以下、本発明の実施の形態について図１、図２を参照しながら説明する。
（イ）  上部に巻き上げ棒（７）を枢支する溝（４）（４ａ）を形成し、金属パイプ（１１）の両端を直角に折り曲げ、コの字形状に形成した差し込みパイプ（１２）（１２ａ）を挿入する縦穴（２）（２ａ）を一体成型した三角形状の脚（１）（１Ａ）を左右対称に対向して配置する。金属パイプ（１１）と脚（１）（１Ａ）は、１００ｋｇ以上の加重にも耐え得る強度を有し、差し込みパイプ（１２）（１２ａ）によって、左右の脚（１）（１Ａ）の横倒れを防止するものである。
（ロ）  縦穴（２）（２ａ）に挿入した差し込みパイプ（１２）（１２ａ）を止めネジ（３）（３ａ）（３ｂ）（３ｃ）によって締め付け固定するためのネジ孔（１８）（１８ａ）（１８ｂ）（１８ｃ）を設け、脚（１）（１Ａ）の外面上部に、ハンドル（８）の回転止めの鉤（５）を一端に取り付けた鎖（６）の他端を固定する。
（ハ）  巻き上げ棒（７）は、１００ｋｇ以上の加重に耐え得る強度を有した金属パイプの片側を直角に折り曲げ、その先端部に細い金属棒を直角に取り付けハンドル（８）を形成し、更に吊り上げ紐（１０）（１０ａ）を固定し、溝（４）（４ａ）にはめ込んで回転しても左右にズレ落ちないためのストッパー（９）（９ａ）を備えている。吊り上げ紐（１０）（１０ａ）は１００ｋｇ以上の重量に耐え得る強度を有し、一端に輪（１７）（１７ａ）を設け、同じ長さにして他端を巻き上げ棒（７）に固定し、膝上げ棒（１３）を輪（１７）（１７ａ）に引っ掛ける。
（ニ）  膝上げ棒（１３）は、両端が吊り上げ紐（１０）（１０ａ）を吊り上げて、１００ｋｇ以上の加重にも耐え得る強度を有し、使用時の患者の足の痛み、冷たさの苦痛を防ぐようゴム、綿等の柔軟素材（１４）を厚く膝上げ棒（１３）に巻きつけ、更に使用中吊り上げ紐（１０）（１０ａ）の輪（１７）（１７ａ）が外れないように、止め具（１５）（１５ａ）を備えている。
本発明は、以上の構成よりなっている。
本発明を使用するときは、差し込みパイプ（１２）を脚（１）の縦穴（２）に差し込み、次に差し込みパイプ（１２ａ）を脚（１Ａ）の縦穴（２ａ）に差し込み組み立てる。そして巻き上げ棒（７）のハンドル（８）を鉤（５）と同じ向きにして溝（４）（４ａ）の上に置き、ネジ孔（１８）（１８ａ）（１８ｂ）（１８ｃ）に止めネジ（３）（３ａ）（３ｂ）（３ｃ）をしっかりと締め付け固定する。
次に、ハンドル（８）を手前にして、寝ている患者の足の方から身体を跨いで腰の位置に設置する。この場合、介護用オムツ交換補助具は軽量で介護者が楽々と持ち上げることができ、ベッド及び布団の上でも底を滑る構造にしているため、患者の身体に合わせ、簡単に移動できる。
患者の膝を片手で少し上げ、足と布団の間から膝上げ棒（１３）をそっと差し込み、両膝（１６）（１６ａ）を乗せた状態にして吊り上げ紐（１０）（１０ａ）の輪（１７）（１７ａ）に両端の止め具（１５）（１５ａ）を通す。そしてハンドル（８）を回せば少しの力でも膝上げ棒（１３）が上昇し、患者の膝から臀部まで簡単に持ち上げることができる。
臀部が上がったところで、回転止めの鉤（５）をハンドル（８）に引っ掛ければ、手を離しても巻き上げ棒（７）の回転が止まり、ゆっくりとおむつ交換ができる。しかも患者の両膝は膝上げ棒（１３）を厚いゴム又は綿を入れた布等の柔軟素材（１４）で包んでいるため、痛みも冷たさもなく柔らかく暖かい感触で安心して使用できる。
最後にオムツを臀部の下に敷き込んでから鉤（５）をはずし、ゆっくりとハンドル（８）を逆回転させて、臀部を下ろしてからオムツを完全に取り付け完了する。最後に介護用オムツ交換補助具をベッドから下ろし、分解して収納する。
【実施例１】
【０００７】
図３の巻き上げ棒（１９）、吊り上げ紐（２１）（２１ａ）、膝上げ鉤（２２）（２２ａ）について説明すると、膝上げ鉤（２２）（２２ａ）は釣り針形状で大人の太ももが楽に入る大きさに曲げた金属棒からなり、１００ｋｇ以上の加重に耐え、全体をゴム、又は綿を入れた布等の柔軟素材（２３）（２３ａ）で厚く包んだ構造である。また、巻き上げ棒（１９）から吊り下げた同じ長さの吊り上げ紐（２１）（２１ａ）の一端に取り付ける構成である。その他の構成は上記の本発明の実施の形態と同様である。
実施例１は、以上の構成より成っている。
これを使用するときは、寝ている患者の片膝をそっと持ち上げ布団と足の間から膝上げ鉤（２２）を膝（１６）に掛け、更にもう一方の膝（１６ａ）を同様に持ち上げ膝上げ鉤（２２ａ）を掛ける。そのままハンドル（８）を回せば患者の膝（１６）（１６ａ）から臀部まで楽々持ち上がる。
【図面の簡単な説明】
【０００７】
【図１】本発明の使用状態を示す斜視図
【図２】本発明の分解斜視図
【図３】本発明のその他の実施例の斜視図
【符号の説明】
【０００８】
１、１Ａ  脚
２、２ａ  縦穴
３、３ａ、３ｂ、３ｃ  止めネジ
４、４ａ  溝
５  鉤
６  鎖
７  巻き上げ棒
８  ハンドル
９、９ａ  ストッパー
１０、１０ａ  吊り上げ紐
１１  パイプ
１２、１２ａ  差し込みパイプ
１３  膝上げ棒
１４  柔軟素材
１５、１５ａ  止め具
１６、１６ａ  膝
１７、１７ａ  輪
１８、１８ａ、１８ｂ、１８ｃ  ネジ孔
１９  巻き上げ棒
２０  ハンドル
２１、２１ａ  吊り上げ紐
２２、２２ａ  膝上げ鉤
２３、２３ａ  柔軟素材
２４、２４ａ  ストッパー
【図１】
0004719845.tif 000002
【図２】
0004719845.tif 000003
【図３】
0004719845.tif 000004